(57)【要約】  壁際に設置した場合でも、空気が流れる開口が壁面により閉塞されることを防止することができ、安定して送風を行うことが可能である空気清浄機を提供する。このため空気清浄機において、設置面上に載置され、側面に吹出口（１１０）が形成された土台部（１００）と、土台部（１００）の上面（１２１）から上方に立てて設けられ、側面に吸込口（２０１）が形成された中空筒状のダクト部（２００）と、を備える。土台部（１００）は、第１の側面（１２２）と、第１の側面（１２２）の下端から土台部（１００）の外側に延びる接続面（１２３）と、接続面（１２３）の外端から下側に延びる第２の側面（１２４）と、を有する。吹出口（１１０）は、第１の側面（１２２）に配置される。
2016114059.tif 000002
【特許請求の範囲】
【請求項１】
設置面上に載置され、側面に第１の開口が形成された土台部と、
前記土台部の上面から上方に立てて設けられ、側面に第２の開口が形成された中空筒状のダクト部と、を備え、
前記土台部は、
第１の側面と、
前記第１の側面の下端から前記土台部の外側に延びる接続面と、
前記接続面の外端から下側に延びる第２の側面と、を有し、
前記第１の開口は、前記第１の側面に配置される空気清浄機。
【請求項２】
設置面上に載置され、側面に第１の開口が形成された土台部と、
前記土台部の上面から上方に立てて設けられ、側面に第２の開口が形成された中空筒状のダクト部と、を備え、
前記第１の開口は、前記設置面に平行な投影面上において前記第１の開口の下縁が前記第１の開口の上縁よりも前記土台部の外側寄りとなるように配置される空気清浄機。
【請求項３】
前記第１の開口は、吹出口であり、
前記第２の開口は、吸込口である請求項１又は請求項２に記載の空気清浄機。
【請求項４】
前記土台部の内部に収容された送風ファンを備え、
前記土台部の内部には、前記送風ファンから前記第１の開口に通じる送風路が形成され、
前記送風路の少なくとも一部は、前記第１の開口から水平より斜め上向きに空気流を吹き出すように傾斜している請求項３に記載の空気清浄機。
【発明の詳細な説明】
【技術分野】
【０００１】
この発明は、空気清浄機に関するものである。
【背景技術】
【０００２】
従来における空気清浄機においては、側面の１つである背面に配設された室内空気の吸込口、及び、上面に配設された吹出口が設けられた本体を備えたものが知られている（例えば、特許文献１参照）。
【先行技術文献】
【特許文献】
【０００３】
【特許文献１】日本特許第４７２６７３３号公報
【発明の概要】
【発明が解決しようとする課題】
【０００４】
しかしながら、特許文献１に示された従来における空気清浄機においては、本体の側面に空気が流れる開口（吸込口）が形成されているため、空気清浄機を壁際に設置した場合に、側面の開口が壁面により閉塞されて、安定して送風することができなくなるおそれがある。【０００５】
この発明は、このような課題を解決するためになされたもので、壁際に設置した場合でも、空気が流れる開口が壁面により閉塞されることを防止することができ、安定して送風を行うことが可能である空気清浄機を得るものである。
【課題を解決するための手段】
【０００６】
この発明に係る空気清浄機においては、設置面上に載置され、側面に第１の開口が形成された土台部と、前記土台部の上面から上方に立てて設けられ、側面に第２の開口が形成された中空筒状のダクト部と、を備え、前記土台部は、第１の側面と、前記第１の側面の下端から前記土台部の外側に延びる接続面と、前記接続面の外端から下側に延びる第２の側面と、を有し、前記第１の開口は、前記第１の側面に配置される構成とする。【０００７】
あるいは、この発明に係る空気清浄機においては、設置面上に載置され、側面に第１の開口が形成された土台部と、前記土台部の上面から上方に立てて設けられ、側面に第２の開口が形成された中空筒状のダクト部と、を備え、前記第１の開口は、前記設置面に平行な投影面上において前記第１の開口の下縁が前記第１の開口の上縁よりも前記土台部の外側寄りとなるように配置される構成とする。
【発明の効果】
【０００８】
この発明に係る空気清浄機においては、壁際に設置した場合でも、空気が流れる開口が壁面により閉塞されることを防止することができ、安定して送風を行うことが可能であるという効果を奏する。
【図面の簡単な説明】
【０００９】
【図１】この発明の実施の形態１に係る空気清浄機の外観斜視図である。
【図２】この発明の実施の形態１に係る空気清浄機の透視断面図である。
【図３】図２のＡ部を拡大して示す断面図である。
【図４】この発明の実施の形態１に係る空気清浄機を壁面に隣接させて設置した状態を模式的に示す断面図である。
【図５】この発明の実施の形態１に係る空気清浄機の他の構成例を模式的に示す斜視図である。
【図６】この発明の実施の形態２に係る空気清浄機を壁面に隣接させて設置した状態を模式的に示す断面図である。
【図７】図６の矢印Ｂの方向から見た矢視図である。
【発明を実施するための形態】
【００１０】
この発明を添付の図面を参照しながら説明する。各図を通じて同符号は同一部分又は相当部分を示している。同符号の部分についての重複説明は適宜に簡略化あるいは省略する。
【００１１】
実施の形態１．
図１から図５は、この発明の実施の形態１に係るもので、図１は空気清浄機の外観斜視図、図２は空気清浄機の透視断面図、図３は図２のＡ部を拡大して示す断面図、図４は空気清浄機を壁面に隣接させて設置した状態を模式的に示す断面図、図５は空気清浄機の他の構成例を模式的に示す斜視図である。
【００１２】
図１に示すように、この発明の実施の形態１に係る空気清浄機１は、土台部１００及びダクト部２００を備えている。土台部１００は、２つの略直方体が上下に重ねられて形成される形状を呈する。より詳しくは、土台部１００は、平面視で相対的に大きな略直方体の上に、平面視で相対的に小さな略直方体が重ねられて形成された形状を呈する。したがって、土台部１００の側面には、階段状の段差が形成されている。
【００１３】
すなわち、土台部１００の外形は、上面１２１、第１の側面１２２、接続面１２３及び第２の側面１２４、並びに、図１では図示を省略している底面を有している。第１の側面１２２は、上面１２１の外端から下側に延びて設けられる。ここでは、第１の側面１２２は上面１２１に対し、ほぼ垂直に設けられている。接続面１２３は、第１の側面１２２の下端から、土台部１００の外側に延びて設けられる。ここでは、接続面１２３は第１の側面１２２に対し、ほぼ垂直に設けられている。第２の側面１２４は、接続面１２３の外端から下側に延びて設けられる。ここでは、第２の側面１２４は接続面１２３に対し、ほぼ垂直に設けられている。
【００１４】
このようにして、接続面１２３は第１の側面１２２の下端と第２の側面１２４の上端とを接続している。なお、ここでは、接続面１２３は、ほぼ水平な面であるが、傾斜していても構わない。また、ここでは、第１の側面１２２及び第２の側面１２４は、ほぼ鉛直な面であるが、これらの側面の一方又は両方が傾斜していても構わない。また、第１の側面１２２の下側に板状の部材を設けることで、第２の側面１２４の高さ寸法をごく小さくしてもよい。
【００１５】
土台部１００の一側面には、第１の開口である吹出口１１０が形成されている。より詳しくは、第１の開口である吹出口１１０は、土台部１００の側面のうちの第１の側面１２２に配置されている。
【００１６】
土台部１００の上面１２１には、ダクト部２００が取り付けられている。ダクト部２００は中空筒状を呈する。ここでは、ダクト部２００は、中空な略円筒状である。なお、ダクト部２００の形状はこれに限られず、例えば中空の角柱状等でもよい。
【００１７】
ダクト部２００は、土台部１００の上面から上方に向けて立つように設けられている。すなわち、ダクト部２００の長手方向は、土台部１００の上面に対し垂直に立てられている。ダクト部２００の側面には、第２の開口である吸込口２０１が形成されている。吸込口２０１は、ダクト部２００の長手方向にわたって配置されている。吸込口２０１には、格子状の枠体にメッシュ状のプレフィルタが設けられた吸込口カバーが取り付けられている。
【００１８】
ダクト部２００の上端には、閉塞体２０２が取り付けられている。中空なダクト部２００の長手の一端は、この閉塞体２０２により閉塞されている。一方、ダクト部２００の長手の他端には、前述した土台部１００が接続されている。
【００１９】
図２を参照しながら、空気清浄機１の構成について説明を続ける。ダクト部２００の内部には、通風路２０３が形成されている。通風路２０３は、ダクト部２００に形成された吸込口２０１と通じている。また、ダクト部２００の内部には、空気清浄手段である図示しないフィルタが取り付けられている。このフィルタは、例えばＨＥＰＡ（Ｈｉｇｈ  Ｅｆｆｉｃｉｅｎｃｙ  Ｐａｒｔｉｃｕｌａｔｅ  Ａｉｒ）フィルタである。フィルタは、ダクト部２００の内部における吸込口２０１と通風路２０３との間に配置される。
【００２０】
土台部１００内の空間には、送風ファン３００が収容されている。また、土台部１００の内部には、モータ４００も収容されている。モータ４００は、送風ファン３００を回転させるためのものである。
【００２１】
さらに、図３も参照しながら説明を続ける。この、図３は図２のＡ部を拡大して示すものである。送風ファン３００が収容された土台部１００内の空間は、ダクト部２００の通風路２０３と通じている。また、送風ファン３００が収容された空間は、土台部１００の内部に形成された送風路１０１に通じている。そして、この送風路１０１は、吹出口１１０へと通じている。このようにして、ダクト部２００の吸込口２０１から、通風路２０３、送風ファン３００及び送風路１０１を経由して、吹出口１１０までが通じている。
【００２２】
ここで、前述したように、土台部１００の側面には段差が形成されており、この段差部分には、上から順に第１の側面１２２、接続面１２３及び第２の側面１２４が形成されている。そして、吹出口１１０は、第１の側面１２２に設けられている。したがって、吹出口１１０の外側の下方には、接続面１２３がほぼ水平に延びている。また、第２の側面１２４は土台部１００の最も外側にあり、第１の側面１２２にある吹出口１１０は、平面視において、第２の側面１２４より土台部１００の内側にある。
【００２３】
また、送風路１０１は、土台部１００の内側から外側にいくにつれて上方へと向かうように傾斜している。換言すれば、送風路１０１は、送風ファン３００の部分から吹出口１１０に近づくにつれて上方へと向かうように傾斜している。したがって、送風ファン３００から送風路１０１を通って吹出口１１０から吹き出す空気流は、送風路１０１の傾斜面に案内されて、水平より斜め上向きになる。
【００２４】
以上のように構成された空気清浄機１を壁面に近接させて設置した状態を模式的に示したのが図４である。空気清浄機１の土台部１００は、設置面である床面５０１上に載置されている。そして、床面５０１からは、鉛直上方に壁面５０２が延びている。
【００２５】
この壁面５０２に空気清浄機１を最も接近させることができるのは、土台部１００の外端が壁面５０２に接触する位置である。この際に、第１の開口である吹出口１１０が壁面５０２側に向くようにした場合を考える。この場合、前述したように、吹出口１１０がある側においては、土台部１００の最も外側にあるのは第２の側面１２４である。したがって、壁面５０２に空気清浄機１を最も接近させると、第２の側面１２４が壁面５０２に当接する。
【００２６】
この状態においては、前述したように第１の側面１２２にある吹出口１１０は第２の側面１２４より土台部１００の内側にあるため、吹出口１１０から壁面５０２との間に空隙を形成することができる。したがって、空気清浄機１を壁面５０２に寄せて設置したとしても、吹出口１１０が壁面５０２により塞がれてしまうことを防止することができる。
【００２７】
この際、吹出口１１０の外側の下方側には接続面１２３があるため、吹出口１１０から出て壁面５０２に当たった空気流は、上方へと向かう。したがって、吹出口１１０から出て壁面５０２に当たった空気流が床面５０１上の塵埃を舞い上げることを防止することができる。
【００２８】
また、送風路１０１の傾斜により吹出口１１０から出た空気流は上向きの速度成分を有しているため、吹出口１１０から出て壁面５０２に当たった空気流を、より円滑に上方へと向かわせることができ、風量の損失を抑制することが可能である。
【００２９】
なお、以上においては、吹出口１１０が土台部１００の一側に設けられている場合について説明した。このような場合には、段差、すなわち、第１の側面１２２、接続面１２３及び第２の側面１２４は、少なくとも吹出口１１０が設けられる側にのみ設けられていればよい。
【００３０】
一方、図５に模式的に示すように、吹出口１１０を土台部１００の複数の側面、例えば４つの側面全てに設けるようにしてもよい。この場合には、段差、すなわち、第１の側面１２２、接続面１２３及び第２の側面１２４を、吹出口１１０が設けられる全ての側（ここでは４方全て）に設けるようにすればよい。
【００３１】
また、送風路１０１は、少なくともその一部が吹出口１１０から水平より斜め上向きに空気流を吹き出すように傾斜していればよいが、特に、吹出口１１０に近い部分を傾斜させるのがよい。
【００３２】
なお、以上においては、土台部１００に形成された第１の開口を吹出口１１０とし、ダクト部２００に形成された第２の開口を吸込口２０１とした場合について説明した。ただし、第１の開口及び第２の開口の機能、役割についてはこれに限られない。すなわち、以上の場合とは逆に土台部１００に形成された第１の開口を吸込口とし、ダクト部２００に形成された第２の開口を吹出口としてもよい。このように逆にした場合であっても、第１の開口である吸込口が壁面に塞がれることを防止する等の前述したような有利な効果を得ることが可能である。
【００３３】
以上のように構成された空気清浄機は、例えば床面５０１等設置面上に載置され、側面に第１の開口である吹出口１１０が形成された土台部１００と、土台部１００の上面１２１から上方に立てて設けられ、側面に第２の開口である吸込口２０１が形成された中空筒状のダクト部２００と、を備えている。土台部１００は、第１の側面１２２と、第１の側面１２２の下端から土台部１００の外側に延びる接続面１２３と、接続面１２３の外端から下側に延びる第２の側面１２４と、を有している。そして、第１の開口である吹出口１１０は、第１の側面１２２に配置されている。
【００３４】
このため、空気清浄機１を壁際に設置した場合でも、空気が流れる第１の開口（吹出口１１０）が壁面により閉塞されることを防止することができ、安定して送風を行うことが可能である。また、内部にファンを搭載している場合等において、空気が流れる第１の開口（吹出口１１０）が閉塞されて空気が流れなくなり温度の上昇を招くおそれがない。
【００３５】
実施の形態２．
図６及び図７は、この発明の実施の形態２に係るもので、図６は空気清浄機を壁面に隣接させて設置した状態を模式的に示す断面図、図７は図６の矢印Ｂの方向から見た矢視図である。
【００３６】
前述した実施の形態１は、土台部の第１の開口（吹出口）が形成される側面に段差を設けたものであった。これに対し、ここで説明する実施の形態２は、段差に代えて、土台部の第１の開口（吹出口）が形成される側面を傾斜させるようにしたものである。
【００３７】
すなわち、図６に示すように、土台部１００の側面の少なくとも１つは傾斜側面１２５になっている。傾斜側面１２５は、土台部１００の内側にいくほど高く、土台部１００の外側にいくほど低くなるように傾斜している。そして、この傾斜側面１２５には、第１の開口である吹出口１１０が形成されている。
【００３８】
空気清浄機１の土台部１００は、設置面である床面５０１上に載置されている。そして、床面５０１からは、鉛直上方に壁面５０２が延びている。ここで、図６中の矢印Ｂの示す方向すなわち鉛直上方から見た傾斜側面１２５を示すのが図７である。この図７に示すのは、設置面である床面５０１に平行な投影面上における傾斜側面１２５及び吹出口１１０であるとも言える。
【００３９】
この図７に示すように、傾斜側面１２５は土台部１００の内側にいくほど高くなるように傾斜しているため、前記投影面上において吹出口下縁１１２は、吹出口上縁１１１よりも土台部１００の外側寄りとなる。
【００４０】
ここで、第１の開口である吹出口１１０が壁面５０２側に向くようにして空気清浄機１を壁面５０２に最も接近させて設置した場合を考える。この場合、図６に示すように、土台部１００の外端が壁面５０２に接触した際に、吹出口上縁１１１が吹出口下縁１１２よりも土台部１００の内側にあるため、少なくとも吹出口上縁１１１側において、吹出口１１０と壁面５０２壁面５０２との間に必ず空隙を形成することができる。したがって、空気清浄機１を壁面５０２に寄せて設置したとしても、吹出口１１０が壁面５０２により塞がれてしまうことを防止することができる。
【００４１】
なお、傾斜側面１２５に代えて、当該側面を例えば湾曲面等にすることで、前記投影面上において吹出口下縁１１２が吹出口上縁１１１よりも土台部１００の外側寄りとなるようにしてもよい。
他の構成については実施の形態１と同様であって、その詳細説明は省略する。
【００４２】
以上のように構成された空気清浄機は、例えば床面５０１等の設置面上に載置され、側面に第１の開口である吹出口１１０が形成された土台部１００と、土台部１００の上面１２１から上方に立てて設けられ、側面に第２の開口（吸込口）が形成された中空筒状のダクト部と、を備えている。そして、第１の開口である吹出口１１０は、前記設置面に平行な投影面上において第１の開口の下縁（吹出口下縁１１２）が第１の開口の上縁（吹出口上縁１１１）よりも土台部１００の外側寄りとなるように配置されている。
【００４３】
このため、実施の形態１と同様に、空気清浄機１を壁際に設置したとしても、土台部１００の側面に形成された第１の開口である吹出口１１０が壁面により塞がれてしまうことを防止することができ安定して送風を行うことが可能である。また、第１の開口である吹出口１１０が形成される側面を傾斜させた場合、この傾斜の角度を調整することで、壁面と第１の開口との間に最低限確保できる空隙の大きさを容易に調整することも可能である。その他の点についても、実施の形態１と同様の効果を奏することができる。
【産業上の利用可能性】
【００４４】
この発明は、例えば床面等の設置面上に載置される土台部の側面に吹出口又は吸込口となる開口が形成された空気清浄機に利用できる。
【符号の説明】
【００４５】
１  空気清浄機、  １００  土台部、  １０１  送風路、  １１０  吹出口、  １１１  吹出口上縁、  １１２  吹出口下縁、  １２１  上面、  １２２  第１の側面、  １２３  接続面、  １２４  第２の側面、  １２５  傾斜側面、  ２００  ダクト部、  ２０１  吸込口、  ２０２  閉塞体、  ２０３  通風路、  ３００  送風ファン、  ４００  モータ、  ５０１  床面、  ５０２  壁面
【図１】
2016114059.tif 000003
【図２】
2016114059.tif 000004
【図３】
2016114059.tif 000005
【図４】
2016114059.tif 000006
【図５】
2016114059.tif 000007
【図６】
2016114059.tif 000008
【図７】
2016114059.tif 000009
【手続補正書】
【提出日】平成29年1月19日(2017.1.19)
【手続補正１】
【補正対象書類名】明細書
【補正対象項目名】００４０
【補正方法】変更
【補正の内容】
【００４０】
ここで、第１の開口である吹出口１１０が壁面５０２側に向くようにして空気清浄機１を壁面５０２に最も接近させて設置した場合を考える。この場合、図６に示すように、土台部１００の外端が壁面５０２に接触した際に、吹出口上縁１１１が吹出口下縁１１２よりも土台部１００の内側にあるため、少なくとも吹出口上縁１１１側において、吹出口１１０と壁面５０２との間に必ず空隙を形成することができる。したがって、空気清浄機１を壁面５０２に寄せて設置したとしても、吹出口１１０が壁面５０２により塞がれてしまうことを防止することができる。
【国際調査報告】
2016114059.tif 000010
2016114059.tif 000011
2016114059.tif 000012
2016114059.tif 000013